(57)【要約】【課題】  ズームモード等の表示モードを備えた表示装置において、表示モードの切換えやズームの指定を使用者に判り易く明示し、誤動作の発生を減少させるとともに、操作性の向上を実現する。【解決手段】  デジタイザペン等により直接、表示装置の表示画面上に触れて指示を行うと共に、  （１）ズームモードの開始および終了時に、表示画面の画質を変える。  （２）ズーム指定操作においても、ズーム指定領域の内側と外側で画質を変える。  （３）拡大終了後に、縮小画面を表示する。【選択図】  図１
2006202107.tif 000002
【特許請求の範囲】
【請求項１】
ポインティングデバイスを利用して表示画面内の拡大希望領域を指定し、指定した領域を拡大表示する表示装置において、
入力画像の一部分を変換して拡大画像を出力する拡大処理手段と、
表示装置に表示された画像を指示するポインティング手段と、
入力画像の画質を変換する画質変換手段と、
前記画質変換手段による画質変換後の画像と画質変換前の画像を切換えて出力する画像切換え手段と、
ポインティング手段による入力座標および出力画像の同期信号に応じて切換信号を発生する切換領域発生手段を備え、
ズームモード開始時に、画質変換後の画像を表示する工程と、
ポインティングデバイスにより拡大指定領域が指定されると、前記拡大指定領域内を画質変換前の画像で表示し、前記拡大指定領域外を画質変換後の画像で表示する工程と、
ズームモード終了時に、全体画像に対する前記拡大指定領域の割合に応じて、前記拡大処理手段により拡大処理した画像を画質変換前の画質で拡大して表示する工程とを
備えることを特徴とする画像表示装置。
【請求項２】
更に、表示画面全体の画質を検出する画質検出手段を備え、前記画質検出手段の出力に応じて、前記拡大指定領域外の画質を変えることを特徴とする請求項１に記載の画像表示装置。
【請求項３】
更に、入力画像の全体画像を縮小した画像に変換する縮小処理手段を備え、
前記ズームモード終了時に、全体画像に対する指定領域の割合に応じて、前記拡大処理手段により拡大処理した画像を画質変換前の画質で拡大して表示すると共に、前記縮小処理手段により出力される縮小画像を合成して表示する工程とを
備えることを特徴とする請求項１に記載の画像表示装置。
【請求項４】
ポインティングデバイスを利用して表示画面内の拡大希望領域を指定し、指定した領域を拡大表示する表示装置の画像表示方法において、
入力画像の一部分を変換して拡大画像を出力する工程と、
表示装置に表示された画像を指示する工程と、
入力画像の画質を変換する工程と、
前記画質変換手段による画質変換後の画像と画質変換前の画像を切換えて出力する工程と、
ポインティング手段による入力座標および出力画像の同期信号に応じて切換信号を発生する工程を備え、
ズームモード開始時に、画質変換後の画像を表示する工程と、
ポインティングデバイスにより拡大指定領域が指定されると、前記拡大指定領域内を画質変換前の画像で表示し、前記拡大指定領域外を画質変換後の画像で表示する工程と、
ズームモード終了時に、全体画像に対する前記拡大指定領域の割合に応じて、前記拡大処理手段により拡大処理した画像を画質変換前の画質で拡大して表示する工程とを
備えることを特徴とする画像表示方法。
【請求項５】
更に、表示画面全体の画質を検出する工程を備え、前記画質検出手段の出力に応じて、前記拡大指定領域外の画質を変えることを特徴とする請求項４に記載の画像表示方法。
【請求項６】
更に、入力画像の全体画像を縮小した画像に変換する工程を備え、
前記ズームモード終了時に、全体画像に対する指定領域の割合に応じて、前記拡大処理工程により拡大処理した画像を画質変換前の画質で拡大して表示すると共に、前記縮小処理手段により出力される縮小画像を合成して表示する工程とを
備えることを特徴とする請求項４に記載の画像表示装置。
【発明の詳細な説明】
【技術分野】
【０００１】
本発明は、表示装置および表示方法に関する。
【０００２】
特に、入力画像を拡大表示する機能を備えた表示装置および表示方法に関するものである。
【背景技術】
【０００３】
近年、PC（パーソナルコンピューター）の普及に伴い、PCから出力された画像を表示するためのプレゼンテーション装置として、プロジェクターやPDP等の大型ディスプレイの使用が増加してきた。そして、プレゼンテーションの際に、プレゼンテーション画像に対して、拡大操作を行い、プレゼンテーションの効果を高める方法が用いられている。
【０００４】
プロジェクターには、プレゼンテーション機能を補助する機能として、PCから入力された画像を拡大する機能を備えたものがある。
【０００５】
又、別の従来例としては、特許文献１をあげることが出来る。
【特許文献１】特開２００２−１４０１１２号公報
【発明の開示】
【発明が解決しようとする課題】
【０００６】
しかしながら、従来のフロントプロジェクタによる拡大機能では、リモコン等で指示することにより、表示画面の中央を中心に拡大をするものが多く、所望の場所を拡大するためには、拡大と表示位置の移動を繰り返す必要があり、満足の得られるものでは無かった。
【０００７】
そして、これらのリモコンによる操作では、プレゼンターが直感的に操作することができず不便であった。
【０００８】
また、拡大モードに入っているか否かや、表示画面における拡大指定領域が判り難いということや、拡大表示後に全体画面のどの部分を拡大したかが認識できないという問題があった。
【０００９】
そこで、本発明では、ズーム領域を自由に設定でき、ズームモードの開始および終了時に、表示画面の画質を変えることにより、ズーム操作中であることを直感的に認識できる表示装置を提供することを目的としたものである。
【００１０】
また、ズーム指定操作においても、ズーム指定領域の内側と外側で画質を変えることにより、ズーム操作中であることや、ズーム指定領域を明確に表示することが可能であるため、操作が判り易い表示装置を提供することを目的としたものである。
【００１１】
また、拡大終了後に、縮小画面を表示することにより、全体画面におけるズーム領域の範囲が判り易い表示装置を提供することを目的としたものである。
【００１２】
また、本発明は、デジタイザペン等により直接、表示装置の表示画面上に触れて指示を行い、拡大画面の移動操作による操作性を向上し、なおかつ、リモコンやマウス等での操作も可能な表示装置を提供することを目的としたものである。
【００１３】
以上により、本発明では、所望の位置の拡大をスムーズにワンタッチでストレス無く行える。また、拡大画像の全体画像に対する位置も判る。また、拡大モードに入ったことや出たことや拡大領域も判り易くなるため、操作性が改善される。
【課題を解決するための手段】
【００１４】
ポインティングデバイスを利用して表示画面内の拡大希望領域を指定し、指定した領域を拡大表示する表示装置において、入力画像の一部分を変換して拡大画像を出力する拡大処理手段と、表示装置に表示された画像を指示するポインティング手段と、入力画像の画質を変換する画質変換手段と、前記画質変換手段による画質変換後の画像と画質変換前の画像を切換えて出力する画像切換え手段と、ポインティング手段による入力座標および出力画像の同期信号に応じて切換信号を発生する切換領域発生手段を備え、ズームモード開始時に、画質変換後の画像を表示する工程と、ポインティングデバイスにより拡大指定領域が指定されると、前記拡大指定領域内を画質変換前の画像で表示し、前記拡大指定領域外を画質変換後の画像で表示する工程と、ズームモード終了時に、全体画像に対する前記拡大指定領域の割合に応じて、前記拡大処理手段により拡大処理した画像を画質変換前の画質で拡大して表示する工程とを備えることにより、ズーム領域を自由に設定することが可能となり、ズームモードの開始および終了時に、表示画面の画質を変えることにより、ズーム操作中であることを直感的に認識することが可能となった。
【００１５】
また、本発明によれば、ズーム指定操作においても、ズーム指定領域の内側と外側で画質を変えることにより、ズーム操作中であることや、ズーム指定領域を明確に表示することが可能であるため、操作が判り易い。
【００１６】
また、本発明によれば、デジタイザペン等により直接、表示装置の表示画面上に触れて指示を行い、拡大画面の移動操作による操作性を向上し、なおかつ、リモコンやマウス等での操作も可能な表示装置を提供することが可能となった。
【００１７】
以上により、本発明では、所望の位置の拡大をスムーズにワンタッチでストレス無く行える。また、拡大画像の全体画像に対する位置も判る。また、拡大モードに入ったことや出たことや拡大領域も判り易くなるため、操作性を改善することが可能となった。
【００１８】
また、本発明によれば、ズームモード等の表示モードを備えた表示装置において、表示モードの切換えやズームの指定を使用者に判り易く明示し、誤動作の発生を減少させるとともに、操作性の向上を実現する。
【００１９】
また、プレゼン等でも視覚的効果を高めることが可能となった。
【００２０】
また、更に、表示画面全体の画質を検出する画質検出手段を備え、画像の画質に応じて画質変換方法を変えることが可能となり、如何なる画質の画像であっても、拡大モードの開始・終了や拡大指定領域の表示が認識し易くなるという効果がある。
【００２１】
また、更に、入力画像の全体画像を縮小した画像に変換する縮小処理手段を備え、前記ズームモード終了時に、全体画像に対する指定領域の割合に応じて、前記拡大処理手段により拡大処理した画像を画質変換前の画質で拡大して表示すると共に、前記縮小処理手段により出力される縮小画像を合成して表示する工程とを備えることにより、拡大終了後に、縮小画像と縮小画面内に拡大領域を示す枠を拡大画面と同時に表示するため、全体画面内における拡大領域が認識し易くなる。
【発明の効果】
【００２２】
本発明によれば、ズーム領域を自由に設定することが可能となり、ズームモードの開始および終了時に、表示画面の画質を変えることにより、ズーム操作中であることを直感的に認識することが可能となった。
【００２３】
また、本発明によれば、ズーム指定操作においても、ズーム指定領域の内側と外側で画質を変えることにより、ズーム操作中であることや、ズーム指定領域を明確に表示することが可能であるため、操作が判り易い。
【００２４】
また、本発明によれば、拡大終了後に、縮小画面を表示することにより、全体画面におけるズーム領域の範囲が判り易い。
【００２５】
また、本発明によれば、デジタイザペン等により直接、表示装置の表示画面上に触れて指示を行い、拡大画面の移動操作による操作性を向上し、なおかつ、リモコンやマウス等での操作も可能な表示装置を提供することが可能となった。
【００２６】
また、本発明によれば、画像の画質に応じて画質変換方法を変えることにより、如何なる画質の画像であっても、拡大モードの開始・終了や拡大指定領域の表示が認識し易くなるという効果がある。
【００２７】
以上により、本発明では、所望の位置の拡大をスムーズにワンタッチでストレス無く行える。また、拡大画像の全体画像に対する位置も判る。また、拡大モードに入ったことや出たことや拡大領域も判り易くなるため、操作性を改善することが可能となった。
【００２８】
また、本発明によれば、ズームモード等の表示モードを備えた表示装置において、表示モードの切換えやズームの指定を使用者に判り易く明示し、誤動作の発生を減少させるとともに、操作性の向上を実現する。
【００２９】
また、プレゼン等でも視覚的効果を高めることが可能となった。
【発明を実施するための最良の形態】
【００３０】
（実施例１）
本発明では、図２に示す背面投射型表示装置１００を開発した。図２は側面から見た図である。投射型表示エンジンD1から投射された画像を反射ミラー２０１にて反射し、スクリーン６の背面から投射する。スクリーン６の前面には、デジタイザ装置２０２が取り付けられており、スクリーン６の前面より、デジタイザ用ペン２０３にて入力した位置座標を表示装置１００に入力する。デジタイザ装置としては、光学式のものや感圧式のものや超音波式のもの等、各種のものを用いることができる。
【００３１】
符号２０４はメニュー表示スイッチであり、メニュー表示のON／OFF用のスイッチである。また、符号２０５はズームモード開始スイッチであり、ズームモードの開始を指示する。
【００３２】
投射型表示エンジンD1の実施形態を図３に示す。
【００３３】
投射型表示エンジンD1は、光変調素子として、Ｒ、Ｇ、Ｂ各色表示対応の３枚の液晶パネル２Ｒ，２Ｇ，２Ｂを用い、これら３枚の液晶パネル２Ｒ，２Ｇ，２Ｂはクロスプリズム７に対向する位置に配置した。なお、本実施例においては、液晶パネル２Ｒ，２Ｇ，２Ｂとして、ＴＦＴを用いて駆動するＴＮ液晶パネルを用いた。また、各液晶パネル２Ｒ，２Ｇ，２Ｂを挟み込むように、その両側には偏光板８をそれぞれ配置し、クロスプリズム７の光出射側には投射レンズ９やスクリーン（被投射部材）６を配置した。
【００３４】
一方、ランプ（光源）１を囲むように放物型のリフレクタ１０を配置し、ランプ１からの出射光が平行光束に変換されるようにした。なお、このリフレクタ１０は放物型でなくても、楕円型とし集光光束へ変換するようにしても良い。また、ランプ１には、メタルハライドランプやキセノンランプなどを用いることができる。
【００３５】
また、はえの目インテグレータ４０，４１は、ランプ１から出射された光の光路上に配置し、液晶パネル２Ｒ，２Ｇ，２Ｂと共役な関係となるように配置し、光源の不均一性を改善した。
【００３６】
そして、はえの目インテグレータ４０，４１の光出射側には、順に、リレーレンズ１１やミラー１２を配置した。さらに、２枚のダイクロミラー１３，１４を配置して、ランプ１からの出射光を３つに分岐させ、リレーレンズ１５やミラー１６，１７，１８を配置して各液晶パネル２Ｒ，２Ｇ，２Ｂに導くようにした。なお、符号１９はフィールドレンズを示す。
【００３７】
ところで、上述した液晶パネル２Ｒ，２Ｇ，２Ｂには、図１に示すように映像信号入力手段３等を接続した。
【００３８】
図１に本発明の画像表示装置１００と接続機器を含むブロック図を示す。
【００３９】
画像表示装置１００において、符号１０１はＰＣ（パソコン）アナログ入力端子を示し、符号１０２はＰＣ（パソコン）ディジタル入力端子を示し、符号１０３はNTSC入力端子を示し、符号３は映像信号処理手段を示す。映像信号処理手段３において、符号１０４はＡ／Ｄコンバータを示し、符号１０８はＤＳＰ部を示し、符号１０９は解像度変換部を示し、符号１１０は解像度変換部１０９で拡大／縮小およびフレームレート変換等の処理を行うために必要なデータ等を保持するメモリを示し、符号１２０はタイミング発生回路を示し、符号１１１は画質変換部を示し、符号１１２は解像度変換部１０９の出力信号または画質変換部１１１の出力信号の何れかを選択して出力するセレクタを示し、符号１１３は縮小変換部を示し、符号１１４は縮小変換部１１１で縮小処理に必要なデータを記憶するメモリを示し、符号１１５はセレクタ１１２の出力と縮小変換部１１３の出力の何れかを選択して出力するセレクタを示し、符号１１６はOSD部を示し、符号１１７はセレクタ１１５の出力信号とOSD部１１６の出力信号の何れかを選択して出力するセレクタを示し、符号１１８はＤＡコンバータを示し、符号１１９は各液晶パネルに印加する信号と電源を供給するドライバ回路を示す。符号２R、２G、２Bは、ドライバ回路１１９の出力信号を入力し表示を行う液晶表示装置である。
【００４０】
符号１０５は、TMDS回路であり、PC用ディジタル信号入力端子であるDVI端子１０２より入力された小振幅ディジタル差動シリアル信号をR,G,Bの各パラレルディジタル信号に変換する処理を行う。
【００４１】
符号１０６は、信号処理回路を示し、A／D変換、NTSC信号のデコード、ノイズ低減処理、帯域制限フィルタリングおよび信号レベル調整等の信号処理を行う。
【００４２】
符号１０７は、セレクタであり、A／D変換器１０４、TMDS回路１０５、信号処理回路１０６の何れかの信号を選択してDSP１０８へ出力する。
【００４３】
また、符号１２３は領域演算部であり、デジタイザ２０２で指示された座標およびペンアップ、ペンダウン信号をもとに拡大指定領域を算出する。
【００４４】
符号１２１は領域発生部であり、領域演算部１２３で決定された拡大指定領域をもとに、液晶パネルの駆動と同期して、拡大領域内と拡大領域外を選択するための信号を発生する。
【００４５】
またさらに、符号１３１は、ランプ１に接続されるランプ用の電源であるバラストを示し、符号１３２はシステム電源、符号１３３はＡＣインレットを示す。
【００４６】
また、符号１３４は、本表示装置の種々の操作を行うためのリモコン、符号１３５は、そのリモコンの信号を受信する制御パネルを示す。
【００４７】
さらに、符号２０４はメニュー表示ＳＷを示し、符号１３７はメニューＳＷ検出部を示し、メニュー表示ＳＷ２０４の動作を検出する。符号２０５はズームモード開始SWを示し、符号１２２はズームモード検出部を示し、ズームモード開始SW２０５の動作を検出する。
【００４８】
さらに、符号１３８はＣＰＵを示し、符号１３９はＲＯＭ、符号１４０はＲＡＭを示す。
【００４９】
また、符号１４１はUSBインターフェース部であり、符号１４２、符号１４３および符号１４４はUSB入出力端子である。符号２０２はデジタイザであり、符号１４５はデジタイザ検出部である。
【００５０】
このＣＰＵ１３８は、上述した映像信号処理手段３や制御パネル１３５やバラスト１３１やメニューＳＷ検出部１３７やズームモード検出部１２２や領域演算部１２３やデジタイザ検出部１４５等に接続されており、液晶パネル２Ｒ，２Ｇ，２Ｂやランプ１等の駆動制御や表示画像の拡大・縮小・移動や拡大処理に伴う画質変換等を行うための映像信号処理手段３の制御を行う。
【００５１】
本実施例では、メニューＳＷ検出部１３７、映像信号処理手段３、ズームモード検出部１２２、領域演算部１２３、デジタイザ検出部１４５等はＣＰＵ１３８に接続されるものとして説明したが、ＣＰＵに内蔵したり、プログラムにより実行するように構成してもよい。
【００５２】
本実施例では、ＰＣ用アナログおよびディジタル端子、ＮＴＳＣ入力端子のみ記載されているが、それに限らず、各種のアナログおよびディジタル画像信号の入力端子やディジタルＴＶ用Ｄ端子や、メモリカード入力端子等、各種のアナログおよびディジタルの画像信号を入力する端子を設けても良い。
【００５３】
また、符号３００はＰＣ（パーソナルコンピューター）であり、ＣＰＵ３０１、ＨＤ（ハードディスク）３０２、ＲＡＭ３０３、ＲＯＭ３０４、ビデオメモリ３０５、グラフィックコントローラ３０６、ＵＳＢ  Ｉ／Ｆ  ３０８、等からなり、映像出力端子３０９、ＵＳＢ入力端子３１０を備えている。
【００５４】
符号３１２はマウスであり、表示装置１００のＵＳＢ端子１４３に接続されている。符号３１３はタブレットであり符号３１４はタブレット用のペンである。タブレット３１３はUSB端子１４４に接続されている。また、ＵＳＢ端子１４２はＰＣ３００のＵＳＢ端子３１０に接続されている。また、符号４００はディジタル映像主力端子を備えるPCであり、ディジタルＰＣ入力端子１０２に接続されている。符号５００はNTSC入力端子１０３に接続されたDVD装置である。
【００５５】
以下、本発明の作用について詳細に説明する。
【００５６】
入力端子１０１にはPC３００が接続されており、PC３００より出力された画像は入力端子１０１より表示装置１００に入力される。入力端子１０２にはPC４００が接続されており、PC４００より出力された画像は入力端子１０２より表示装置１００に入力される。また、入力端子１０３にはDVD装置５００が接続されており、DVD装置５００より出力されたNTSC画像信号は入力端子１０３より表示装置１００に入力される。
【００５７】
入力端子１０１より入力した画像信号は、A／D変換器１０４によりサンプリングされディジタル信号に変換される。入力端子１０２より入力した画像信号はTMDS回路１０５によりパラレルディジタル信号に変換される。
【００５８】
入力端子１０３より入力した画像信号は、信号処理部１０６により、A／D変換、NTSC信号のデコード、ノイズ低減処理、帯域制限フィルタリングおよび信号レベル調整等の信号処理を行う。
【００５９】
セレクタ部１０７では、入力端子１０１、１０２および１０３の何れかの信号を選択しDSP１０８へ出力する。
【００６０】
DSP１０８では、コントラスト、ブライト、ガンマ変換、色変換などの信号処理が行われる。解像度変換部１０９では、入力画像の解像度を表示デバイスに表示を行うサイズに合せて、拡大・縮小等の処理を行う。画質変換部１１１では画質の変換を行う。セレクタ１１２では画質変換部１１１の出力と解像度変換部１０９の出力の何れかを選択して出力する。この選択信号は領域発生部１２１にて、表示パネルを駆動する同期信号を基準として発生される。
【００６１】
また、縮小変換部１１３では、入力画像の縮小画像を作成し、セレクタ１１５により、縮小画像の表示位置に応じて切換えて表示することにより表示画面内に子画面を合成する。また、OSD部１１６では、文字や枠等のグラフィックデータを作成し、セレクタ１１７により、切換えて表示することにより表示画面内に各種のOSDデータを合成表示する。
【００６２】
PC３００では、HD３０２に記憶されたプログラムを起動し、グラフィックコントローラ３０６により出力画像を作成し、出力端子３０９より出力する。
【００６３】
図４は、本発明による拡大表示操作の処理フローである。
【００６４】
図５（ａ）、（ｂ）、（ｃ）、（ｄ）、（ｅ）は、PC３００より出力された画像信号を本発明の表示装置１００に入力し、拡大操作を行う場合の表示例である。符号６０１、６０４、６０７、６０９、６１１は、スクリーン６に表示された全体画面を示している。
【００６５】
図５（ａ）は、拡大モードに入る前の標準モード時の表示例である。６０１は表示装置に表示された画像全体を示し、符号６０２のAという文字および符号６０３のBという文字が表示されている。ここで、ズームモードSW２０５を押すと、ズームモード検出部１２２により、ズームモードSW２０５が押されたことを検出する（Ｓ１）。ズームモードになると、セレクタ１１２を切換えることにより、画面全体を画質変換部１１１の出力で表示する。画質変換部１１１は、図６に示すように、入力に対して出力を右に１ｂｉｔシフトして出力するように構成されており、入力画像の明るさを１／２にするように設計されている。そのため、図５（ｂ）で示すように、図５（ａ）に比べて、画面全体６０４の明るさが１／２になった画像が表示される（Ｓ２）。このように、表示画面全体の画質が変わることで、表示モードが変わったことが認識し易くなる。
【００６６】
次に、デジタイザペン２０３を用いて、拡大したい領域を指定する。
【００６７】
デジタイザ装置２０２は、図２に示すように、表示装置の表示画面上に取り付けられ、デジタイザペン２０３で表示画面を触れることにより座標を入力することが可能である。
【００６８】
デジタイザペン２０３がスクリーン６に接触すると、デジタイザ２０２によりペンダウン信号を発生し、スクリーン６から離れるとペンアップ信号が発生される。また、デジタイザペン２０２がスクリーン６に接触している間は、１０ｍｓ毎に表示画面上の位置座標をデジタイザ２０２により検出する。
【００６９】
ここで、デジタイザペン２０３を図５（ｃ）の点６０５にて、表示画面に触れ、ペンダウン信号を発生すると（Ｓ３）、そこが、拡大指定領域の開始点となる（Ｓ４）。続いて、ペンアップ信号が検知されず（Ｓ５）、座標の移動が確認された場合は（Ｓ１１）、その時の入力座標を途中点として領域演算部１２３により拡大指定領域を演算し、領域発生部１２１に設定する（Ｓ１２）。そして、領域発生部１２１が発生するセレクト信号により画質変換前の信号と画質変換後の信号をセレクタ１１２により切換えることにより、拡大指定領域内を画質変換前の画像で、拡大指定領域外を画質変換後の画像で表示する（Ｓ１３）。以上の処理ステップにより、図５（ｃ）の様に、拡大指定開始点６０５から途中点６０６まで、デジタイザペン２０３を表示画面に触れたまま移動すると、拡大指定領域がドラッグされ、ドラッグされた拡大指定領域に合せて、画質変換前の画像と画質変換後の画像を切換えて表示を行うことが可能になる。このように、表示画面全体の画質が変化している中で、拡大領域を指定することにより、拡大される領域が元の画質で表示されるため、全体画像の中で拡大する領域が認識し易くなる。
【００７０】
ここで、拡大領域の開始点および終了点等の領域発生部１２１への設定は、垂直ブランキング中に行うことにより、表示画像に乱れがない高画質な表示が可能となった。
【００７１】
次に、図５（ｄ）に示すように、点６０８にて、デジタイザペン２０３を表示画面より離すとペンアップ信号が発生したことを検出し（Ｓ５）、開始点６０５より座標が移動している場合は（Ｓ６）、点６０８が拡大指定領域の終了点として設定される（Ｓ７）。領域発生部１２１では、上記操作により、指定領域の開始から終了するまでの間、ペンダウン信号をもとに、矩形領域を発生させ、矩形領域内は、画質変換前の画像信号を表示し、矩形領域外は画質変換後の画像信号を表示するように、セレクタ１１２へセレクト信号を与える。ペンアップ信号を検出し、拡大希望領域の指定が終了すると（Ｓ７）、開始点６０５および終了点６０８の座標から、拡大率を算出し（Ｓ８）、解像度変換部１０９へ拡大率の設定を行う（Ｓ９）。例えば、UXGAの解像度をもつ表示サイズ（１６００，１２００）の表示装置において、拡大開始点を（６００，４００）、拡大終了点を（１４００，１０００）とすると、拡大指定領域のサイズは（８００，６００）となるため、拡大指定領域をUXGAの表示画面全体に拡大表示するためには、入力画像の座標（６００，４００）を拡大画像の左上の基準として２倍に拡大するように解像度変換部１０９に設定を行う。
【００７２】
その結果、図５（ｅ）に示すように、拡大された画像が表示される。この時、セレクタ１１２により画質変換前の画像信号を選択して表示することにより、拡大画像全体が元の画像の明るさで表示されるため、拡大指定モードが終了したことが認識し易くなる。
【００７３】
また、ペンアップ信号を検知した際に、拡大領域開始点から座標が移動してない場合は、拡大モードを終了し、全体画像を画質変換前の画質で表示する（Ｓ１０）。
【００７４】
ここで、ズームモード開始時やズームモード終了時に表示画面全体の画質を切換えるタイミングとしては、垂直ブランキング中に行うことにより、表示画像に乱れがない高画質な表示が可能となった。
【００７５】
本実施例では、ズームモード開始スイッチ２０５は、表示装置１００の表示画面外に取り付けられた場合について説明したが、信号処理手段３のOSD回路１１６により表示画面上にアイコン表示することも可能である。この場合は、表示画面外にスイッチを取り付ける必要が無くコストダウンや実装面積が削減される利点がある。
【００７６】
本実施例では、画質変換部は、ビットシフトすることにより明るさを１／２としたが、乗算器等を用いて任意の明るさを得ることも可能であるし、カラーマトリクス変換回路等を用い、色変換処理をおこなうことも可能である。また、数画素毎にサンプリングして解像度を粗く、モザイク状に表示することも可能であり、画質を変換する方法としては各種の方法が可能である。
【００７７】
本実施例では、ペンアップ、ペンダウン信号は、表示画面に触れたり離した時に発生すると説明したが、デジタイザペンのペン先を可動式とし、表示画面に触れペン先が押されてペン内部方向に移動すると、ペンダウン信号を発生し、表示画面から離しペン先が元の位置に戻るとペンアップ信号を発生するようにしてもよい。また、ペン先に圧力センサを付ける等の方法もあり、如何なる方法でもよい。
【００７８】
また、表示装置１００に接続されたマウスを用いて本発明の拡大操作を行う場合には、マウスにて、拡大指定領域の開始点にマウスカーソルを移動し、マウスの左ボタンを押すことによりペンダウン信号を検知し、押した状態で移動するとその期間はペンダウン信号が持続され、拡大指定領域をドラッグして表示することが可能となる。最後に、マウスの左ボタンを解除することにより、ペンアップ信号が作られ、拡大指定領域が確定する。そして、拡大指定領域の大きさにより拡大率が決定され拡大表示が行われる。
【００７９】
また、表示装置１００に接続されたタブレットでも同様の操作が可能である。
【００８０】
以上のように、マウス等のポインティングデバイスを用いても同様の操作が可能となる。
【００８１】
本実施例では、背面投射型表示装置の例について示したが、表示装置であれば何れのものでも応用が可能であり、例えば、PDP、LCD、CRT、フロントプロジェクタ等の表示装置でも実施可能である。
【００８２】
以上、本発明によれば、ズーム領域を自由に設定することが可能となり、ズームモードの開始および終了時に、表示画面の画質を変えることにより、ズーム操作中であることを直感的に認識することが可能となった。
【００８３】
また、本発明によれば、ズーム指定操作においても、ズーム指定領域の内側と外側で画質を変えることにより、ズーム操作中であることや、ズーム指定領域を明確に表示することが可能であるため、操作が判り易い。
【００８４】
また、本発明によれば、デジタイザペン等により直接、表示装置の表示画面上に触れて指示を行い、拡大画面の移動操作による操作性を向上し、なおかつ、リモコンやマウス等での操作も可能な表示装置を提供することが可能となった。
【００８５】
以上により、本発明では、所望の位置の拡大をスムーズにワンタッチでストレス無く行える。また、拡大画像の全体画像に対する位置も判る。また、拡大モードに入ったことや出たことや拡大領域も判り易くなるため、操作性を改善することが可能となった。
【００８６】
また、本発明によれば、ズームモード等の表示モードを備えた表示装置において、表示モードの切換えやズームの指定を使用者に判り易く明示し、誤動作の発生を減少させるとともに、操作性の向上を実現した。
【００８７】
また、プレゼン等でも視覚的効果を高めることが可能となった。
【００８８】
（実施例２）
図７は第二の実施例におけるズームモード終了時の表示例であり、拡大処理が終了し拡大画面が表示されると、同時に縮小画面および縮小画面内に拡大された画像部分を示す枠の表示を行う例について図１のブロック図を用いて説明する。ズームモード終了時以外の表示は、図５（ａ）、（ｂ）、（ｃ）、（ｄ）と同じである。
【００８９】
縮小画像変換部１１３では、ＤＳＰ１０８より出力された画像を縮小率に応じて、入力画像信号を間引いてメモリ１１４に書き込むことにより縮小画面を作成する。メモリ１１４内に記憶された縮小画像をパネル駆動信号に同期して読み出し、セレクタ１１５により合成することにより、図７に示すように拡大画像の右下に縮小画像が表示される。また、ＯＳＤ部１１６により、枠データを作成し、セレクタ１１７により合成表示する。
【００９０】
枠７０４の表示は、縮小画面の縮小率に応じて、図５（ｃ）の開始点６０５および終了点６０８の座標を変換して表示する。
【００９１】
図４のフローチャートに従って処理を行い、ステップ９（Ｓ９）において、画質変換前の画像で拡大表示を行うと共に、縮小画像変換部１１３で作成した縮小画像７０３およびＯＳＤ１１６で作成した拡大領域枠７０４の表示を行う。
【００９２】
また、子画面は、表示画面の正面からみて表示画面の右側下部に表示することが望ましい。
【００９３】
本発明によれば、拡大終了後に、縮小画像と縮小画面内に拡大領域を示す枠を拡大画面と同時に表示することにより、全体画面内における拡大領域が認識し易くなる。
【００９４】
（実施例３）
実施例１では、拡大モード時に表示画面の明るさを１／２にする例について説明した。しかしながら、画像全体が極端に暗い場合は、明るさを１／２にしても元画像との違いが少なく、拡大モードの開始や拡大指定領域が認識し難い場合がある。本実施例では、その様な画面全体の画像が暗い場合に対応するため、画面全体の明るさを検出するための画質検出部を設け、画質検出部の出力に応じて、画質変換部の変換方法を変えることにより、如何なる画像においても、拡大モードの開始・終了や拡大指定領域が認識し易い表示装置を開発した。
【００９５】
図８は本実施例における画質変換部１１１の構成を示すブロック図である。
【００９６】
解像度変換部１０９より出力された信号は、セレクタ１１２および画質変換部１１１に入力され、セレクタ１１２では、解像度変換部１０９と画質変換部１１１の出力信号の何れかを選択して出力する。
【００９７】
画質変換部１１１は、明るさを１／２にする回路９０１と明るさを２倍にする回路９０２とセレクタ９０４および画質検出部９０３で構成されている。
【００９８】
そして、画質変換部１１１は、画質検出部９０３の検出結果に応じて、明るさを１／２にするか、明るさを２倍にするかの何れかをセレクタ９０４により選択して出力する。
【００９９】
図９に本発明の処理フローを示す。
【０１００】
画質検出部９０３では、一フレーム毎に入力画像信号を加算することにより、画面全体の平均の明るさを算出する（S９１）。平均の明るさが、明るさ２０％以下であれば（S９２）、セレクタ９０４にて明るさ２倍回路９０２の出力を選択し（S９３）、明るさが２０％より大きければ（S９２）、明るさ１／２回路９０１の出力を選択して出力する（S９４）。
【０１０１】
図１０（ａ）、（ｂ）、（ｃ）、（ｄ）、（ｅ）は、本実施例において、一画面の明るさの平均が２０％以下の画像を入力した場合の表示例を示している。図１０（ａ）は標準モードの表示例、図１０（ｂ）はズームモード開始時の表示例、図１０（ｃ）はズーム領域指定途中の表示例、図１０（ｄ）はズーム領域指定終了時の表示例、図１０（ｅ）はズームモード終了時の表示例である。拡大操作のフローは、第一の実施例における図４のフローチャートと同様であるが、画面の明るさの平均が２０％以下であるため、画質変換部の出力が２倍の明るさに選択され、ズーム開始時に画面全体が２倍の明るさとなり、ズーム領域の指定時にはズーム領域枠外が２倍の明るさで表示される。また、本実施例において、画面の明るさの平均が２０％より大きい画像を入力した場合は、画質変換部の出力が１／２の明るさに選択されるため、第一の実施例の図５の場合と同様の表示となる。
【０１０２】
ここで、しきい値を明るさ２０％としたが、これに限るものではなく、表示装置の入出力ガンマ特性や黒諧調の再現性等により、拡大指定領域の内側と画質変換後の画質で表示される拡大指定領域の外側の違いが判別し易い必要があり、また、明るさを反転した場合、明るすぎてまぶしくなることが無いように、黒側のできるだけ小さい値とすることが望ましい。本実施例では、実験的に１０％以上かつ２０％以下程度の値がしきい値として適当であることが判った。
【０１０３】
本実施例では、画面の明るさを検知して、拡大モード時の画像や拡大領域枠外の明るさを変える例について示したが、色や解像度等、画質上の違いが認識できれば本発明に応用することが可能である。
【０１０４】
本実施例では、画質変換部は、明るさを１／２と２倍で選択する構成としたが、乗算器等を用いて乗算係数を変える構成とし任意の明るさを得ることも可能であるし、カラーマトリクス変換回路等を用い、マトリクスの係数を変えることにより、画質により色が変わるようにすることも可能である。また、数画素毎にサンプリングして解像度を粗く、モザイク状に表示することも可能であり、画質を変換する方法としては各種の方法が可能である。
【０１０５】
以上、本発明によれば、画像の画質に応じて画質変換方法を変えることにより、如何なる画質の画像であっても、拡大モードの開始・終了や拡大指定領域の表示が認識し易くなるという効果がある。
【０１０６】
（実施例４）
図１１（ａ）、（ｂ）、（ｃ）、（ｄ）、（ｅ）は本発明の第四の実施例における表示例であり、図１１（ｂ）のズームモード開始時の表示方法が実施例１と異なる。
【０１０７】
本実施例では、図１１（ｂ）に示す様に、ズームモードＳＷ２０５が押され、ズームモードが開始すると、表示画面中央部に拡大領域範囲を示すものと同様な矩形領域１１０１が表示される。ここで、矩形領域１１０１の内側は画質変換前の画像で表示され、矩形領域１１０１の外側は画質変換後の画像で表示される。
【０１０８】
図４のフローチャートに従って処理を行い、ステップ２（Ｓ２）において、矩形領域１１０１を領域発生部１２１により発生し、セレクタ１１２により解像度変換部１０９の出力と画質変換部１１１の出力を切換えることにより、矩形領域１１０１の内側は画質変換前の画像で表示され、矩形領域１１０１の外側は画質変換後の画像で表示することができる。ステップ３以降は第一の実施例と同様に図４のフローチャートに従い、拡大領域の指定を行う。
【０１０９】
本発明によれば、ズームモード開始時に、拡大領域範囲を示すものと同様な矩形領域を表示し、矩形領域の内側は画質変換前の画像で表示され、矩形領域の外側は画質変換後の画像で表示されるため、ズームモードを開始したことが、より認識し易くなるという効果がある。
【図面の簡単な説明】
【０１１０】
【図１】第一の実施例による画像表示装置のブロック図
【図２】第一の実施例による背面投射型表示装置
【図３】第一の実施例による投射型表示エンジン
【図４】第一の実施例のフローチャート
【図５】第一の実施例の表示画像例
【図６】第一の実施例による画質変換部の説明図
【図７】第二の実施例の表示画像例
【図８】第三の実施例による画質変換部の説明図
【図９】第三の実施例のフローチャート
【図１０】第三の実施例の表示画像例
【図１１】第四の実施例の表示画像例
【符号の説明】
【０１１１】
１００  画像表示装置
３００  PC
４００  PC
５００  ＤＶＤ
３  入力信号処理部
１１８  D／A
１１９  パネルドライバ
２  LCDパネル
【図１】
2006202107.tif 000003
【図２】
2006202107.tif 000004
【図３】
2006202107.tif 000005
【図４】
2006202107.tif 000006
【図５】
2006202107.tif 000007
【図６】
2006202107.tif 000008
【図７】
2006202107.tif 000009
【図８】
2006202107.tif 000010
【図９】
2006202107.tif 000011
【図１０】
2006202107.tif 000012
【図１１】
2006202107.tif 000013